(57)【要約】【課題】ナースコール用呼出握りボタンは、患者の近くに設置するものであるが、患者ごとに設置すべき場所が異なるため。ボタンの位置を固定することができず、ベッドから落下することがあった。【解決手段】ナースコール用呼出握りボタンとナースコール子機を接続するケーブルにおいて、ケーブル内部の中心線として、電流を流すとピアノ線のように硬くなる性質をもったバイオメタルファイバーを有し、設置完了後にバイオメタルファイバーに通電することにより、ナースコール用呼出握りボタンの位置を固定する。【選択図】図４
2012200492.tif 000002
【特許請求の範囲】
【請求項１】
病院に入院中の患者がナースコール呼出のためにベッド近傍に設置され、ケーブル（６）を介してナースコール用呼出握りボタン（１）を接続したナースコール子機（２）と、ナースコール呼出に応答するナースコール親機（３）と、前記ナースコール親機及び前記ナースコール子機を制御する制御装置（４）からなるナースコール装置において、
前記ケーブルは、呼出信号を伝送する信号線（６２、６３、６４、６５）と、バイオメタルファイバー（６１）とから構成されることを特徴とするナースコール装置。
【請求項２】
前記ケーブルは、中心部に前記バイオメタルファイバーを配置し、前記バイオメタルファイバーの周囲に複数の前記信号線を配置し、外皮として塩化ビニル樹脂等の絶縁皮膜（６６）とから構成されることを特徴とする請求項１記載のナースコール装置。
【請求項３】
前記ナースコール用呼出握りボタンは、患者がナースコール呼出を行なう際に操作する呼出部（１１）と、患者あるいは看護者が前記ケーブルをベッドの手すり等に固定する際に、前記バイオメタルファイバーに通電を行なって硬化させるための通電スイッチ（１２）を有することを特徴とする請求項１または請求項２記載のナースコール装置。
【請求項４】
前記ケーブルは、前記ナースコール用呼出握りボタン近傍の１０ｃｍ乃至３０ｃｍにおいて、前記バイオメタルファイバーに代えて銅線（６１１）を配置したことを特徴とする請求項１乃至請求項３何れか１項記載のナースコール装置。
【発明の詳細な説明】
【技術分野】
【０００１】
本発明は、ナースコール装置で、特にナースコール用呼出握りボタンのケーブルを自由にベッド近傍に巻きつけた後に固定し、ナースコール用呼出握りボタンの脱落の低減を可能にしたナースコール装置に関する。
【背景技術】
【０００２】
従来から、ナースコール装置におけるナースコール用呼出握りボタンのケーブルの断線防止として、文献１の先行技術に示すようなベッドハンガーが提案されている。本ベッドハンガーによれば、通信ケーブルがケーブル掛渡溝に沿って引張られたとき通信ケーブルがケーブル掛渡溝から抜け出るようにインターホン子機を案内するテーパを鞍部の側面に付したので、ベッドの移動で子機用フックから外れた子機の底部は、側面のテーパに当接し、子機の底部は斜め上方向に引上げられ、そのまま通信ケーブルごと子機がケーブル掛渡溝から外れてしまい、通信ケーブルの断線は免れるものである。
【先行技術文献】
【特許文献】
【０００３】
【特許文献１】実開平７−１８０８７号公報
【発明の概要】
【発明が解決しようとする課題】
【０００４】
しかしながら、文献１のベッドハンガーにおいては、ベッド移動時の断線を防ぐことができても、ベッド移動時以外にベッドから落下する可能性があり、患者がナースコールを使用したいときに手元からなくなってしまうという危険があった。
【課題を解決するための手段】
【０００５】
上述の目的を達成するため、本発明の第１の態様であるナースコール装置は、ナースコール用呼出握りボタンのケーブルをベッドに巻きつけた後の固定性を高めるために、ナースコール用呼出握りボタンのケーブル内部の中心線として、電流を流すとピアノ線のように硬くなる性質をもったバイオメタルファイバーを有するものである。
【０００６】
また、本発明の第２の態様であるナースコール装置は、ケーブルの中心部にバイオメタルファイバーを配置し、バイオメタルファイバーの周囲に複数の信号線を配置し、外皮として塩化ビニル樹脂等の絶縁皮膜とから構成されるものである。
【０００７】
また、本発明の第３の態様であるナースコール装置は、患者がナースコール呼出を行なう際に操作する呼出部と、ケーブルをベッドの手すり等に固定する際に、バイオメタルファイバーに通電を行なって硬化させるための通電スイッチを有するものである。
【０００８】
また、本発明の第４の態様であるナースコール装置は、ケーブルのナースコール用呼出握りボタン近傍の１０ｃｍ乃至３０ｃｍにおいて、バイオメタルファイバーに代えて銅線（６１１）を配置したものである。
【発明の効果】
【０００９】
請求項１のナースコール装置によれば、ナースコール用呼出握りボタンのケーブルをベッドに巻きつけた後に、バイオメタルファイバーに電流を流すことでケーブルが固定されるため、ケーブルの取り回す際の柔軟性を維持しつつ、巻きつけた後の固定性を向上させ、ナースコール用呼出握りボタンの脱落を低減させることができる。
【００１０】
請求項２のナースコール装置によれば、ケーブル中心部にバイオメタルファイバーを配置することで、ケーブルの強度を確保することができるとともに、絶縁皮膜によりショート等の電気的トラブルを防ぐことができる。
【００１１】
請求項３のナースコール装置によれば、通電スイッチが患者の手元にあるため、患者自身がスイッチを操作してケーブルの固定を解除し、使いやすい位置にナースコール用呼出握りボタンを再配置することができる。
【００１２】
請求項４のナースコール装置によれば、ナースコール用呼出握りボタン近傍のみバイオメタルファイバーを配置していないため、患者がわずかに握りボタンを動かしたい場合に微調整を行なうことができる。
【図面の簡単な説明】
【００１３】
【図１】図１は、本発明の実施例によるナースコール装置の構成図である。
【図２】図２は、本発明の実施例によるナースコール装置のベッド周辺を拡大した構成図である。
【図３】図３は、本発明の実施例によるナースコール子機のブロック図である。
【図４】図４は、本発明の実施例によるケーブルの断面図であり、（ａ）はケーブルの中間部（Ａ−Ａ部）、（ｂ）はケーブルのナースコール用呼出握りボタン寄りの端部（Ｂ−Ｂ部）の断面図である。
【発明を実施するための形態】
【００１４】
以下、本発明のナースコール装置を適用して、ナースコール用呼出握りボタンをベッドに固定するための最良の実施の形態例について、図面を参照して説明する。
【実施例１】
【００１５】
図１は、本発明の実施例によるナースコール装置の構成を示すシステム構成図であり、病院に入院中の患者がナースコール呼出を行なうためにベッド近傍に設置されたナースコール子機２と、ナースコール呼出に応答するナースコール親機３と、病室入口に設置されて呼出を表示するとともに複数のナースコール子機２の通信を中継する廊下灯５と、ナースコール親機３、廊下灯５、及びナースコール子機２を制御する制御装置４から構成される。
【００１６】
ナースコール子機２にはケーブル６を介してナースコール用呼出握りボタン１を接続し、ナースコール用呼出握りボタン１には押しボタン等のノンロック式のスイッチで構成された呼出部１１と、ケーブル６を固定するためのロック式あるいはスライド式のスイッチで構成された通電スイッチ１２を有している。図４（ａ）は図２のＡ−Ａ断面におけるケーブル６の断面図であり、中央部には電流を流すことで硬化するバイオメタルファイバー６１を配置し、その周辺には４本の信号線６２、６３、６４、６５が配置され、さらに外皮には塩化ビニル樹脂による絶縁皮膜６６で保護されている。なお、信号線６２、６３、６４はナースコール、点滴終了等の複数の種別の呼出に割り当てられているとともに、信号線６５は接地されている。また、図４（ｂ）は図２のＢ−Ｂ断面におけるケーブル６の断面図であり、中央部には銅線６１１を配置しているが、その周辺の構造は図４（ａ）と同一である。なお、銅線６１１は、バイオメタルファイバー６１に代えて、ナースコール用呼出握りボタン１の近傍約１５ｃｍの位置に配置されている。
【００１７】
図３はナースコール子機２のブロック図であり、廊下灯５と通信するためのインターフェース２２と、呼出部１１からの呼出信号を検出する呼出検出回路２３と、バイオメタルファイバー６１に硬化のための電力を供給する電源部２４と、インターフェース２２、呼出検出回路２３、電源部２４とを制御するＣＰＵ２１とから構成される。
【００１８】
以下、動作について説明する。初期設定時には通電スイッチ１２はオフになっており、ケーブル６は全長にわたって可撓性を有しているため、ナースコール用呼出握りボタン１を任意の位置に移動することができる。患者がベッドに横になると、看護師あるいは患者はケーブル６をベッドに巻きつける等により落下を防止するとともに、ナースコール用呼出握りボタン１を呼出のしやすい任意の場所に位置決めを行なう。
【００１９】
位置決めが終わると、看護師または患者が通電スイッチ１２をオンにすることにより、図３に示す電源部２４からの電力がバイオメタルファイバー６１、銅線６１１、通電スイッチ１２、接地されている信号線６５を介して流れることにより、バイオメタルファイバー６１は硬化し、ベッドに巻きつけられたケーブル６が移動することなく、固定される。また、ケーブル６が固定されていても、ナースコール用呼出握りボタン１の近傍約１５ｃｍの位置にはバイオメタルファイバー６１が配置されていないため可撓性を維持しており、落下しない範囲でナースコール用呼出握りボタン１の位置を微調整することができる。
【００２０】
患者がナースコール用呼出握りボタン１の呼出部１１を操作すると、例えばナースコールに割り当てられている信号線６２と接地されている信号線６５が短絡することにより、ナースコール子機２の呼出検出回路２３は呼出を検出し、ＣＰＵ２１に通知する。ＣＰＵ２１は呼出信号をインターフェース２２、廊下灯５、制御装置４を介してナースコール親機３に報知する。ナースコール親機３では、図示しないスピーカやディスプレイ等の報知部で報知を行なうことにより、患者からの呼出を通知することができる。
【００２１】
また、看護師あるいは患者はケーブル６を移動させる場合には、通電スイッチ１２をオフにすることにより、図３に示す電源部２４からの電力がバイオメタルファイバー６１に流れなくなり、ケーブル６は全長にわたって可撓性を獲得する。
【産業上の利用可能性】
【００２２】
なお、本実施例では通電スイッチ１２をナースコール用呼出握りボタン１に設置したが、患者の誤操作を防ぐためにナースコール子機２あるいは廊下灯５に設置することも好適である。
【００２３】
また、従来のナースコール装置と同様に、ナースコール子機２及びナースコール親機３にそれぞれマイク、スピーカを接続して通話を可能にすることも好適である。
【符号の説明】
【００２４】
１      ナースコール用呼出握りボタン
１１    呼出部
１２    通電スイッチ
２      ナースコール子機
３      ナースコール親機
４      制御装置
６      ケーブル
６１    バイオメタルファイバー
６１１  銅線
６２    信号線
６３    信号線
６４    信号線
６５    信号線
６６    絶縁皮膜
【図１】
2012200492.tif 000003
【図２】
2012200492.tif 000004
【図３】
2012200492.tif 000005
【図４】
2012200492.tif 000006